(57)【特許請求の範囲】
【請求項１】
原稿が搬送される第１搬送路と、該第１搬送路を搬送する原稿の画像を読み取る読取手段と、を有する画像読取部と、
画像形成用シートが搬送される第２搬送路と、該第２搬送路を搬送するシート上に画像を形成する画像形成手段と、を有する画像形成部と、
を備えた画像形成装置において、
前記画像読取部は、装置本体に対して回動自在に構成されると共に、前記第１搬送路が開放可能に構成され、
前記第１搬送路が開放された状態で前記読取手段を画像読取部本体に対して着脱可能とする着脱機構を備えると共に、前記画像読取部における前記読取手段を介して前記第１搬送路とは反対側に、前記着脱機構の着脱作業を行う作業部を設け、
前記画像読取部を、画像読取動作を行う場合の位置とは異なる位置に回動させると、前記作業部が開放されることを特徴とする画像形成装置。
【請求項２】
前記画像形成手段は、画像形成部本体に対して着脱自在に設けられると共に、
前記画像読取部を、画像読取動作を行う場合の位置とは異なる位置に回動させると、前記作業部が開放されると同時に、前記画像形成手段が開放され、該画像形成手段の着脱作業が可能となることを特徴とする請求項１に記載の画像形成装置。
【請求項３】
前記着脱機構には、前記読取手段を前記画像読取部本体に着脱する着脱部材を有すると共に、
前記作業部は、該着脱部材の着脱作業を行うための工具が差し込まれるための開口部であることを特徴とする請求項１又は２に記載の画像形成装置。
【請求項４】
前記読取手段は、前記第１搬送路を搬送する原稿の原稿面を照射する光源と、原稿からの反射光を得て、電気信号に変換する光電変換素子と、を有するコンタクトイメージセンサであることを特徴とする請求項１〜３のいずれか一つに記載の画像形成装置。
【発明の詳細な説明】
【０００１】
【発明の属する技術分野】
本発明は、原稿の画像情報を読み取る機能と、シート上に画像を形成する機能とを備えた画像形成装置に関するものである。
【０００２】
【従来の技術】
この種の画像形成装置としては、画像の形成を行う画像形成部が電子写真方式のレーザビームプリンタとして構成されたファクシミリ装置等がある。
【０００３】
図７を参照して従来技術に係る画像形成装置（ファクシミリ装置）について説明する。図７は従来技術に係る画像形成装置の模式的断面図である。
【０００４】
図７に示すように、装置本体正面側（図では左側）の上部に、原稿の画像情報を読み取る画像読取部３が設けられ、その後方に画像の形成を行う画像形成部４が設けられている。
【０００５】
まず、画像形成部４について説明する。
【０００６】
画像形成手段１０の上方にはレーザスキャナ９が配置されており、画像形成手段１０よりも装置本体正面側には定着器１１が配置されている。
【０００７】
画像形成手段１０は、感光ドラム１０ａを備えており、まず、一次帯電器１０ｂにより、感光ドラム１０ａの表面は均一に帯電される。そして、画像信号にもとづいて、レーザスキャナ９によって、感光ドラム１０ａ上にレーザビームを、走査光として照射することによって静電潜像を形成する。
【０００８】
そして、その潜像は、現像ローラ１０ｃから供給されるトナーの付着によってトナー像として顕画化される。
【０００９】
一方、カセット５０に積載されたシートとしての記録紙Ｐが、ピックアップローラ５１によって最上層の１枚が給送され、搬送ローラ２６によって画像形成手段１０に送られる。
【００１０】
そして、上述したように顕画化されたトナー像が、転写帯電器１０ｆによって記録紙Ｐ上に転写される。その後、記録紙Ｐは定着器１１に送られ、上記転写されたトナー像が定着される。
【００１１】
次に、画像読取部３について説明する。なお、図示の例は、一般にシートフィードタイプと呼ばれ、原稿Ｓを移動させながら読み取る構成となっている。
【００１２】
画像読取部３では、原稿載置台５４上に載置された原稿Ｓを、摩擦部１８及び分離ローラ１９によって１枚ずつ分離し、更に、給紙コロ２１及び給紙ローラ２２によって、コンタクトイメージセンサ支持台（以下、ＣＩＳ支持台７ａと称する）に取付けられたコンタクトイメージセンサ（以下、ＣＩＳ７と称する）に向けて搬送する。
【００１３】
そして、ＣＩＳ７によって、原稿Ｓの画像情報が読み取られた後に、原稿Ｓは排紙コロ２３及び排紙ローラ２４によって原稿排紙トレー８上に排出される。
【００１４】
又、画像読取部３を構成する部品の一部（原稿の搬送路を介して一方にある部品）は一体的に構成されており、支点Ｂを中心として図示の位置から図中反時計方向に回動可能である（図８参照）。また、原稿載置台５４とフェースダウン排紙部５２はカートリッジカバー５５として一体に構成されているが、このカバー５５は支点Ｄを中心として時計方向に回動可能になっている。
【００１５】
このように構成することで、感光ドラム１０ａ，帯電器１０ｂ，現像ローラ１０ｃ，トナー収納部等が一体に構成されたトナーカートリッジ１０ｅを交換する際には、カートリッジカバー５５を時計方向に回動させて開くことで、交換作業を容易に行うことができた。
【００１６】
また、比較的、交換頻度が高い電気部品としては、ＣＩＳ７が挙げられる。ＣＩＳ７は、上述のようなシートフィードタイプ（原稿移動型）の搬送系の場合には、ＣＩＳ７を構成する部品の一つであるガラスの表面と原稿が常に擦れるため、静電気が起き易い。特に低湿環境下（日本では冬）に於いては、静電気が顕著に発生してしまう。
【００１７】
この結果、原稿搬送による静電気により、ＣＩＳ７が誤動作を起こしたり、あるいは最悪の場合にはＣＩＳ７が破壊したりしてしまい、ユーザーがメーカに依頼して部品を交換してもらわなければならなかった。
【００１８】
そうした時の部品（ＣＩＳ７）の交換作業手順について図８を参照して説明する。図８は従来技術に係る画像形成装置における部品交換手順を示す模式的断面図である。
【００１９】
まず、図８に示すように、画像読取部３を構成する部品のうち、原稿搬送路を介して一方（図中原稿搬送面よりも上側）の全ての部品は、上述のように一体的に構成されており、これを図中矢印方向に回動させる。
【００２０】
なお、この回動動作は、原稿が搬送途中で搬送不良を起こした際に、原稿搬送路から原稿を取り出すために通常行う動作でもある。
【００２１】
そして、画像読取部３を構成する部品のうち、原稿搬送面よりも図示する下側から、まず、原稿搬送ガイド１７’を不図示の固定手段を解除してから、図中矢印方向に取り出す。次に、ＣＩＳ支持台７ａとＣＩＳ７を画像読取部３から不図示の固定手段を解除してから、図中矢印方向に取り出していた。
【００２２】
【発明が解決しようとする課題】
しかしながら、上記のような従来技術の場合には、下記のような問題が生じていた。
【００２３】
上述のように、画像読取部３を、画像読取部３に備えられた原稿搬送路を開放可能に構成することによって、ＣＩＳ７を交換する場合には、この原稿搬送路を開放して、原稿搬送路側から各種部品を取り外した後にＣＩＳ７とＣＩＳ支持台７ａとのユニットとして取り外す、あるいは、装着させるようにしていた。そのため、原稿搬送路側（の開口）は、通常ＣＩＳの部分のみを剥き出しとしており、通常ＣＩＳより外形が大きくなってしまうＣＩＳ保持部材の取出しは、前述する原稿搬送ガイド１７’や後述するローラ類を取外すことが必須事項であった。
【００２４】
しかしながら、装置本体から原稿搬送ガイド１７’を取り外す作業は困難である場合が少なくない。また、部品の一体化等により、原稿搬送ガイド１７’を他の外装カバーと一体化してあった場合には、外装を装置本体より取り外す必要があり、非常に時間のかかる作業となっていた。
【００２５】
また、ＣＩＳ支持台７ａとＣＩＳ７を画像読取部３から取り外すには、給紙ローラ２２や排紙ローラ２４が邪魔になり、これらの両ローラを取り外さねばならない場合もあった。特にローラの取り外し作業では、不図示のローラに回転駆動を与えるための連結ギアや、回転時の摺動を効率良くさせる軸受け、もしくは、グリス等の潤滑油がついている場合が殆どであり、ＣＩＳ７の交換作業について、非常に作業工程数が多くなり、かつ時間を必要とするという不具合があった。
【００２６】
本発明は上記の従来技術の課題を解決するためになされたもので、その目的とするところは、簡易な構成でメンテナンス性を向上させた画像形成装置および画像読取装置を提供することにある。
【００３７】
【課題を解決するための手段】
上記目的を達成するために本発明の画像形成装置にあっては、
原稿が搬送される第１搬送路と、該第１搬送路を搬送する原稿の画像を読み取る読取手段と、を有する画像読取部と、
画像形成用シートが搬送される第２搬送路と、該第２搬送路を搬送するシート上に画像を形成する画像形成手段と、を有する画像形成部と、
を備えた画像形成装置において、
前記画像読取部は、装置本体に対して回動自在に構成されると共に、前記第１搬送路が開放可能に構成され、
前記第１搬送路が開放された状態で前記読取手段を画像読取部本体に対して着脱可能とする着脱機構を備えると共に、前記画像読取部における前記読取手段を介して前記第１搬送路とは反対側に、前記着脱機構の着脱作業を行う作業部を設け、
前記画像読取部を、画像読取動作を行う場合の位置とは異なる位置に回動させると、前記作業部が開放されることを特徴とする。
【００４１】
前記画像形成手段は、画像形成部本体に対して着脱自在に設けられると共に、
前記画像読取部を、画像読取動作を行う場合の位置とは異なる位置に回動させると、前記作業部が開放されると同時に、前記画像形成手段が開放され、該画像形成手段の着脱作業が可能となるとよい。
【００４３】
前記着脱機構には、前記読取手段を画像読取部本体に着脱する着脱部材を有すると共に、
前記作業部は、該着脱部材の着脱作業を行うための工具が差し込まれるための開口部であるとよい。
【００４５】
前記読取手段は、前記第１搬送路を搬送する原稿の原稿面を照射する光源と、原稿からの反射光を得て、電気信号に変換する光電変換素子と、を有するコンタクトイメージセンサであるとよい。
【００４７】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００４８】
なお、本実施の形態の説明で参照する図面においては、説明を容易にするために、上記従来技術の説明で参照した図面中の構成のうち、同一の機能を備えた構成には同一の符号を付している。
【００４９】
また、本実施の形態の説明では、画像形成装置の一例として、ファクシミリ装置を例にして説明する。
【００５０】
図１〜図６参照して、本発明の実施の形態に係る画像形成装置について説明する。
【００５１】
まず、図１および図２を参照して、画像形成装置としてのファクシミリ装置全体の構成等について説明する。図１は本発明の実施の形態に係る画像形成装置（ファクシミリ装置）の模式的断面図であり、図２は本発明の実施の形態に係る画像形成装置の外観斜視図である。
【００５２】
この図１に示すように、装置本体１は、大きく、原稿Ｓの画像情報を読み取る画像読取部３と、レーザビームプリンタとして機能する、シートとしての記録紙Ｐに画像を形成するための画像形成部４と、から構成される。
【００５３】
ここで、本発明の実施の形態においては、画像読取部３は、トナーカートリッジの交換ないし記録紙のジャム処理のために開閉される開閉カバーとしての機能も具備している。
【００５４】
まず、画像読取部３の主要構成について説明する。
【００５５】
画像読取部３は、主として、原稿Ｓを複数枚積載することができる原稿載置台２と、原稿Ｓを読取部へ搬送するための第１搬送路となる原稿搬送部５と、この原稿搬送部５を搬送する原稿の画像情報を読み取るコンタクトイメージセンサ（ＣＩＳ７）と、ＣＩＳ７による読取部（具体的にはガラス板の表面）に対して原稿を押圧する原稿押圧部（読取基準板６）と、原稿Ｓを案内する上原稿ガイド１６および下原稿ガイド１７と、各種の操作入力を行うための操作部２５と、を備える。
【００５６】
なお、読取後の原稿Ｓは、フェースアップ排紙時における記録紙Ｐが排出される不図示の排紙トレーに排出される。
【００５７】
次に、画像形成部４の主要構成について説明する。
【００５８】
画像形成部４は、主として、画像形成情報に応じて光信号を発生する光信号発生部となるレーザスキャナ９と、電子写真画像形成プロセスにしたがって記録紙Ｐ上に画像を形成するための画像形成手段１０と、画像形成手段１０によって記録紙Ｐに転写されたトナー像を定着する定着器１１と、定着後の記録紙Ｐがフェースダウン排紙されるフェースダウン排紙部１２と、画像形成手段１０に供給する記録紙を支持する給紙部１３と、フェースダウン排紙とフェースアップ排紙を切換えるために定着器１１からの記録紙搬送路を切換える搬送路切換えフラッパ１４と、定着後の記録紙Ｐをフェースダウン排紙部へ案内するフェースダウン排紙ガイド１５と、記録紙Ｐを給紙部１３から画像形成手段１０へ搬送する搬送ローラ２６と、記録紙Ｐを案内する搬送ガイド２７と、定着器１１の熱を放熱するための放熱ダクト２８と、を備える。
【００５９】
次に装置の各部の配置を説明する。なお、通常の使用時において、装置の操作を行う側を正面とする。
【００６０】
まず、装置本体正面側の上部に画像読取部３が設けられており、その後方にレーザスキャナ９が設けられている。また、レーザスキャナ９の下方に画像形成手段１０が設けられており、画像読取部３の後方かつ画像形成手段１０の装置本体正面側の下部近傍に定着器１１が設けられている。
【００６１】
さらに、レーザスキャナ９及び画像形成手段１０と画像読取部３との間にフェースダウン排紙部１２が設けられている。また、レーザスキャナ９及び画像形成手段１０の背後に給紙部１３が設けられている。
【００６２】
次に、本発明の実施の形態の特徴となる画像読取部３について、更に詳しく説明する。
【００６３】
画像読取部３においては、先ず原稿載置台（開閉カバー）２上に積載された原稿（シート）Ｓを摩擦部１８と圧接する分離ローラ１９で１枚ずつ分離して給送する。次いで、その分離された原稿Ｓを図示しない押圧バネにより押圧された給紙コロ２１及びこれに圧接する給紙ローラ２２でＣＩＳ７に搬送する。
【００６４】
読取手段支持部材としてのＣＩＳ支持台７ａに取付けられたＣＩＳ７の上部には、原稿のバックグランドカラーとなり、また読取に於ける絶対白となる読取基準板６をＣＩＳ７の読取幅全域に渡り覆うような幅で構成している。
【００６５】
また、ＣＩＳ７の内部には、原稿Ｓを照射する図示しない光源（本実施の形態ではＬＥＤを使用）を配置しており、画像情報をＣＩＳ７で読み取る。その後、原稿Ｓを図示しない押圧バネにより押圧された排紙コロ２３及びこれに圧接する排紙ローラ２４によって排紙トレー上に排出するようになっている。尚、この間、原稿Ｓは、上原稿ガイド１６と下原稿ガイド１７によりガイドされる。
【００６６】
原稿載置台２は、縦方向に近い急角度で傾斜して設けられており、その上に載置された原稿Ｓはその自重によって分離ローラ１９に導かれる為、予備搬送部が不要なコンパクトな構成となっている。
【００６７】
また、原稿載置台２には、原稿Ｓの搬送方向と直角方向（原稿Ｓの幅方向）にスライド可能なスライダ２ａが設けられており、そのスライダ２ａによって原稿載置台２上に積載された原稿Ｓの両サイドを揃えることができるようになっている。
【００６８】
また、原稿Ｓが長尺原稿の場合、原稿トレー２ｂによって原稿Ｓの後端部が原稿載置台２からはみ出して垂れ下がるのを防止することができる。
【００６９】
次に、本発明の実施の形態において、最も特徴となるところのＣＩＳ７の交換作業について、特に、図３〜図５を参照して説明する。図３は本発明の実施の形態に係る画像形成装置における画像読取部を回動させた状態を示す模式的断面図であり、図４および図５はＣＩＳの交換作業説明図である。
【００７０】
画像読取部３は、装置本体１に対して回動自在に構成されており、通常の画像読取動作や画像形成動作を行う場合には、図１に示すように、内部を閉じた状態とする。一方、トナーカートリッジ１０ｅを交換する場合や記録紙Ｐのジャム処理を行う場合、及びＣＩＳ７を交換する場合には、図３に示すように画像読取部３を図中矢印方向に回動させて、内部を開放した状態とする。
【００７１】
ここで、本実施の形態に係る画像形成装置においては、画像読取部３において、ＣＩＳ７を介して原稿搬送部５とは反対側となる裏面に、ＣＩＳ７の着脱（装着及び取り外し）を行う際に、この着脱作業を可能とする作業穴３ａが設けられている。
【００７２】
この作業穴３ａは、図１に示すように、通常の装置の動作を行う場合には、装置内部に隠れる位置にあり、図３に示すように画像読取部３を回動させて内部を開放すると、作業穴３ａも開放されるため、ＣＩＳ７の着脱作業が可能な状態となる。
【００７３】
なお、図示の例では、ＣＩＳ７を画像読取部３本体に対して着脱する着脱機構としては、ネジによる締結機構を採用した例を示している。すなわち、ＣＩＳ７には、ネジ穴を設けておき、画像読取部３本体側のフレームに形成された貫通孔と、このネジ穴を一致させた状態で、上記画像読取部３の裏面側から作業穴３ａを介してネジ回し（ドライバー）によって、ネジを締結させることで、ＣＩＳ７を装着（固定）させている。
【００７４】
図４及び図５は画像読取部３の拡大図である。
【００７５】
画像読取部３は、原稿搬送部５が開放可能に構成されている。すなわち、原稿搬送部５を介して一方の部品と他方の部品がそれぞれ一体的に構成されており、一方が他方に対して回動自在に構成されている。
【００７６】
図４では、通常の画像読取を行う場合の状態、すなわち、原稿搬送部５を形成している状態を示している。一方、図５は原稿搬送部５を開放した状態を示している。つまり、図５では、画像読取部３の原稿搬送面より図示する上側全ての部品は、不図示の回動中心により図中矢印方向に回動させて、原稿搬送部５を開放させている。
【００７７】
なお、この回動動作は、原稿が搬送途中で搬送不良が起こった際に通常行う動作でもある。
【００７８】
そして、ＣＩＳ７の交換を行う場合には、まず、図３に示すように、画像読取部３を回動させる。これにより、上述のように作業穴３ａが開放される。この作業穴３ａより、工具３３（本実施の形態では、プラスドライバを使用）にて、ネジを外す。
【００７９】
これにより、図５に示すように、原稿搬送部５を開放した状態で、ＣＩＳ支持台７ａを画像読取部３に残したまま、ＣＩＳ７を原稿搬送部５側から機外へと取り出すことが可能となる。
【００８０】
ここで、この作業にて本体より外す部品は、ネジだけとなる。
【００８１】
また、作業穴３ａは、工具３３にてネジを外す作業での最低限の大きさ、つまり、ネジ回しの軸本体部が挿通される最低限の大きさ（本実施の形態では、φ１０の丸穴）としている。更に作業穴３ａからＣＩＳ７の背面側（ネジ止め側）まで、十分な距離（本実施の形態では２０ｍｍの距離）を取っている。
【００８２】
こうすることで、ユーザーが作業穴３ａの近傍に指をかざしても、通常人間が帯びる静電気はＣＩＳ７には届かないようにしている。そのため、ユーザーが与える外部静電にてＣＩＳ７が誤動作及び破壊することはない。
【００８３】
次に、画像形成部４について更に詳しく説明する。
【００８４】
画像形成部４においては、制御部から出力される画像信号に基づいて、レーザスキャナ９に備えられたレーザビーム発信器９ａから変調信号の光ビームを射出し、この変調ビームをポリゴンミラー９ｂによって走査され、折り返しミラー９ｃを介して画像形成手段１０に備えられた感光ドラム１０ａに走査光として照射する。
【００８５】
ここで、感光ドラム１０ａの表面は、予め、一次帯電器１０ｂによって一様に帯電されており、ここに、上記走査光が照射されることで感光ドラム１０ａの表面には潜像が形成される。
【００８６】
そして、その潜像が現像ローラ１０ｃから供給されるトナーの付着によってトナー像として顕画化されるようになっている。
【００８７】
このようにして、感光ドラム１０ａ上には画像情報に応じたトナー像が形成され、給紙部１３から画像形成手段１０に給送された記録紙（シート）Ｐにトナー像を転写帯電器１０ｆによって転写し、さらに定着器１１でトナー像を記録紙Ｐに定着した後、その記録紙Ｐをフェースダウン排紙部１２または排紙トレー８上に排紙するように構成されている。
【００８８】
感光ドラム１０ａは、一次帯電器１０ｂと現像剤ローラ１０ｃとクリーニングブレード１０ｄとともにトナーカートリッジ１０ｅ内に一体に組み込まれていて、装置本体１（画像形成部４本体）に対してトナーカートリッジ１０ｅごと着脱自在に構成されている。
【００８９】
なお、トナーカートリッジ１０ｅに設けられている、トナーを収納したトナー室１０ｇ内のトナーの有無を検出するための磁気センサ３５が、トナーカートリッジ１０ｅに当接した状態で、装置本体側に設けられている。
【００９０】
画像形成手段１０に備えられた感光ドラム１０ａの下側には、転写帯電器１０ｆが配置されている。また、感光ドラム１０ａよりも下流側の記録紙搬送路には、定着部（熱定着器）１１，排紙ローラ対１１ａ及びフェースダウン排紙用の排紙ローラ対１１ｂが配置されている。
【００９１】
一方、装置本体１の後部に設けられた給紙部１３には、記録紙トレー２９が備えられており、この上に積載された記録紙Ｐは、図示しない付勢手段により中板３０が時計方向に回動させられることによって分離ローラ３１に圧接されている。そして、記録紙Ｐは分離パッド３２によって１枚ずつ分離されながら（摩擦片分離方式）搬送され、さらに、搬送ローラ２６によって感光ドラム１０ａと転写帯電器１０ｆの間に搬送される。
【００９２】
記録紙Ｐは、転写帯電器１０ｆによって、感光ドラム１０ａ表面に形成されたトナー像が転写された後、搬送ガイド２７に沿って搬送され、熱定着器１１によりトナー像が定着され、その後、排紙ローラ対１１ａに送られる。
【００９３】
ユーザーは、記録紙Ｐの排紙様式として先述したフェースダウン排紙とフェースアップ排紙のうちいずれかを選択することができる。その切換えは、搬送路切換えフラッパ１４を動かし、記録紙搬送路を切換えることにより行われる。
【００９４】
図１は、フェースダウン排紙の状態を示している。
【００９５】
従って、記録紙Ｐはフラッパ１４により上方に向きを変えられ、定着器１１からフェースダウン排紙部１２へ至る装置本体正面側に設けられた記録紙搬送路に沿って、すなわち、フラッパ１４よりも下流側に設けられたフェースダウン排紙ガイド１５に沿ってガイドされ、フェースダウン用の排紙ローラ対１１ｂによって、放熱ダクト２８とともに開閉カバーと一体的に構成されたフェースダウン排紙部１２上に排出される。
【００９６】
なお、放熱ダクト２８は定着器１１の上方に位置し、定着器１１で発生した熱は自然対流により放熱ダクト２８に沿って上方に放熱されると共に、放熱ダクト２８により、熱が画像形成手段１０のトナーカートリッジ１０ｅに回り込まない様に、遮蔽している。
【００９７】
ユーザーがフェースアップ排紙を選択する場合には、図示しない切換えレバーによりフラッパ１４の向きを変え（図１に示す状態よりも時計方向に少し回動させる）、排紙トレー側に記録紙Ｐを排出する。
【００９８】
この排紙トレーは、フェースアップ排紙トレーと原稿排紙トレーを兼ねているが、引き出し式となっており、ユーザーの使い方に応じて引き出しても良いし、装置本体１の下に収納することも可能である（図２に示す状態）。
【００９９】
次に、開閉カバー（画像読取部３）に関する構成について説明する。
【０１００】
開閉カバーは、図１に示す装置本体１の正面側の下部に位置する支点Ａを回動中心として、装置本体１の正面側へ開き、背面側へ閉じるように、図１中反時計方向と時計方向に回動可能に設けられている。
【０１０１】
この開閉カバーに対して画像読取部３本体と一体的に構成され、さらに、フェースダウン排紙部１２、フェースダウン排紙ガイド１５、及び放熱ダクト２８が一体的に構成されている。従って、これらは開閉カバーとともに回動可能に支持されている。
【０１０２】
そして、開閉カバーを、画像読取部３，フェースダウン排紙部１２，フェースダウン排紙ガイド１５，放熱ダクト２８とともに開くように図１中反時計方向に回動させることにより、図３に示すように、画像形成手段１０が露出するとともに、定着器１１からフェースダウン排紙部１２へ至る記録紙搬送路の切換えフラッパ１４より下流側が開放される。
【０１０３】
これにより、画像形成手段１０のトナーカートリッジ１０ｅを容易に外に取り出して交換できる。
【０１０４】
また、記録紙Ｐのジャムが発生した場合も、装置本体１の内部に滞留している記録紙Ｐを容易に取り出すことができる。
【０１０５】
なお、開閉カバーを回動可能としたことにより、図７に示す従来例に係わるカートリッジカバー５５の場合のように装置本体にトナーカートリッジを取り出す為のデッドスペースを必要としないので、装置の小型化が図れる。
【０１０６】
また、この実施形態のファクシミリ装置では、開閉カバーにインターロック機構が備わっており、開閉カバーが開いているか又はトナーカートリッジ１０ｅが装置本体１にセットされていない場合には、画像形成部４が動作しないようになっている。
【０１０７】
また、トナーカートリッジ１０ｅに設けたドラム感光防止シャッター１０ｈ（図１参照）は、トナーカートリッジ１０ｅの装置本体１へのセットと連動するようになっており、開閉カバーを開き、かつ、トナーカートリッジ１０ｅを装置本体１にセットした時に開くようになっており、一方、トナーカートリッジ１０ｅを装置本体１から取り出した時には閉じて、感光ドラム１０ａの不必要な感光を防止するようになっている。
【０１０８】
次に、ファクシミリ装置の制御系の構成について図６を参照して説明する。図６は本実施の形態に係る画像形成装置の制御に関するブロック図である。
【０１０９】
図６において、３０１は装置全体を制御するＣＰＵであり、このＣＰＵ３０１は、ＭＰＵ、ＭＰＵの制御プログラム等を格納するＲＯＭ、各種データ処理のワークエリアや画像情報の一時的記憶部として使用されるＲＡＭ、画像の変倍や解像度変換等を行う画像処理部により構成されている。
【０１１０】
また、ＣＰＵ３０１には、公知の構成からなるカレンダ、時計機能などが備えられ、ＲＡＭのうちワンタッチキー宛先情報やソフトウェアスイッチ情報等の重要なシステム設定情報を格納する領域がバッテリーバックアップによって停電等の不慮の障害から保護されている。
【０１１１】
ファクシミリ装置の制御系は、上述のＣＰＵ３０１と以下の各要素を、インタフェースを通じて結合した構成をとるものである。
【０１１２】
操作部２５は、テンキー、ファンクションキー、ワンタッチキー、スタートキー、ストップキー等の各種キースイッチ等からなる
表示部３０３は、各種メッセージの表示を行うＬＣＤ、送信モード等の表示を行う各種ＬＥＤ等からなる。
【０１１３】
画像読取部３は、読取モータ等の駆動部、画像の読み取りを行う読取センサ、読み取った画像のシェーディングや２値化を行う画像処理部、原稿検知等を行う各種センサ等からなる
画像形成部４は、記録モータ等の駆動部、レーザスキャナや電子写真プロセスの制御等を行う記録ユニット、記録する画像のスムージング等を行う画像処理部、記録紙等の検知を行う各種センサからなる。
【０１１４】
発呼、着呼、画像データの符号化等を行う通信制御部３０４は、ＭＯＤＥＭ、ＮＣＵ等からなる接続部を持ち、接続部は通信網３０５に接続される。
【０１１５】
ＣＰＵ外部インタフェース３０６は、ＣＰＵ３０１から直接データの送受信を行うインタフェースであり、例えば、ＲＳ２３２Ｃ、ＳＣＳＩ、ＬＡＮ等の回線を通じて装置外部のコンピュータと接続することで、装置を外部のコンピュータのスキャナプリンタ等として使用する。
【０１１６】
前述した制御部は上述した図６の構成の内少なくともＣＰＵ３０１の回路を含むものとする。ＣＰＵ３０１と共に通信制御部３０４やＣＰＵ外部インタフェース３０６などの回路を制御部に設けてもよい。
【０１１７】
なお、以上の説明では、光信号発生部としてレーザスキャナを用いたファクシミリ装置として説明したが、光信号発生部は例えばＬＥＤスキャナなど他の走査方式のものを用いてもよい。またインクジェット記録方式を記録手段、若しくはインクシートとサーマルヘッドを使用する熱転写記録方式等で構成してもよいことは当然である。
【０１１８】
また、前述した実施例では、給紙系の機構を摩擦分離方式としたが、爪分離やリタード分離等の他の分離方式で構成してもよいことは当然である。
【０１１９】
また、画像形成部の構成も上述したものに限らないことは勿論である。
【０１２０】
また、画像形成装置としては、ファクシミリ装置に限らず、原稿の画像情報を読み取るとともに、記録方式に係わらず画像を形成し、記録媒体に記録する他の画像形成装置にも適用可能であることも勿論である。
【０１２１】
【発明の効果】
以上説明したように、本発明は、簡易な構成でメンテナンス性を向上できる。
【図面の簡単な説明】
【図１】本発明の実施の形態に係る画像形成装置の模式的断面図である。
【図２】本発明の実施の形態に係る画像形成装置の外観斜視図である。
【図３】本発明の実施の形態に係る画像形成装置における画像読取部を回動させた状態を示す模式的断面図である。
【図４】本発明の実施の形態に係る画像形成装置における読取手段（ＣＩＳ）の交換作業説明図である。
【図５】本発明の実施の形態に係る画像形成装置における読取手段（ＣＩＳ）の交換作業説明図である。
【図６】本発明の実施の形態に係る画像形成装置の制御に関するブロック図である。
【図７】従来技術に係る画像形成装置の模式的断面図である。
【図８】従来技術に係る画像形成装置の模式的断面図である。
【符号の説明】
１  装置本体
２  原稿載置台
２ａ  スライダ
２ｂ  原稿トレー
３  画像読取部
３ａ  作業穴
４  画像形成部
５  原稿搬送部
６  読取基準板
７  ＣＩＳ（コンタクトイメージセンサ）
７ａ  支持台
８  排紙トレー
９  レーザスキャナ
９ａ  レーザビーム発信器
９ｂ  ポリゴンミラー
９ｃ  ミラー
１０  画像形成手段
１０ａ  感光ドラム
１０ｂ  一次帯電器
１０ｃ  現像ローラ
１０ｄ  クリーニングブレード
１０ｅ  トナーカートリッジ
１０ｆ  転写帯電器
１０ｇ  トナー室
１０ｈ  ドラム感光防止シャッター
１１  定着器
１１ａ  排紙ローラ対
１１ｂ  排紙ローラ対
１２  フェースダウン排紙部
１３  給紙部
１４  フラッパ
１５  フェースダウン排紙ガイド
１６  上原稿ガイド
１７  下原稿ガイド
１８  摩擦部
１９  分離ローラ
２１  給紙コロ
２２  給紙ローラ
２３  排紙コロ
２４  排紙ローラ
２５  操作部
２６  搬送ローラ
２７  搬送ガイド
２８  放熱ダクト
２９  記録紙トレー
３０  中板
３１  分離ローラ
３２  分離パッド
３３  工具
３５  磁気センサ
５０  カセット
５１  ピックアップローラ
５２  フェースダウン排紙部
５４  原稿載置台
５５  カートリッジカバー
３０１  ＣＰＵ
３０３  表示部
３０４  通信制御部
３０５  通信網
３０６  外部インタフェース
Ｐ  記録紙
Ｓ  原稿
【図１】
0004557448.tif 000002
【図２】
0004557448.tif 000003
【図３】
0004557448.tif 000004
【図４】
0004557448.tif 000005
【図５】
0004557448.tif 000006
【図６】
0004557448.tif 000007
【図７】
0004557448.tif 000008
【図８】
0004557448.tif 000009